(57)【要約】【課題】２つの撮像手段により得られた撮影画像を適切に記録することを目的とする。【解決手段】第１の撮像手段と、第１の撮像手段と異なる方向を撮影する第２の撮像手段とを有する撮像装置であって、撮像装置の姿勢を検知する検知手段と、第１の姿勢において撮影が行われた場合には、第１の撮像手段により得られた第１の画像と、第２の撮像手段により得られた第２の画像を合成して記録し、第２の姿勢において撮影が行われた場合には、第１の画像と第２の画像を合成せずに記録する記録手段とを有する。【選択図】図１
2017158089.tif 000002
【特許請求の範囲】
【請求項１】
第１の撮像手段と、前記第１の撮像手段と異なる方向を撮影する第２の撮像手段とを有する撮像装置であって、
前記撮像装置の姿勢を検知する検知手段と、
第１の姿勢において撮影が行われた場合には、前記第１の撮像手段により得られた第１の画像と、前記第２の撮像手段により得られた第２の画像とを合成して記録し、第２の姿勢において撮影が行われた場合には、前記第１の画像と前記第２の画像を合成せずに記録する記録手段と
を有することを特徴とする撮像装置。
【請求項２】
前記記録手段は、前記第２の姿勢において撮影が行われた場合には、前記第１の画像と前記第２の画像を別ファイルとして記録することを特徴とする請求項１に記載の撮像装置。
【請求項３】
前記記録手段は、前記第１の姿勢において撮影が行われた場合には、前記第１の画像の一部の領域上に、前記第２の画像を重畳して記録することを特徴とする請求項１又は２記載の撮像装置。
【請求項４】
前記第１の画像に前記第２の画像の正像又は鏡像を重畳して表示する表示手段をさらに有し、
前記記録手段は、前記表示手段に表示された前記第２の画像に関わらず、前記第２の画像の正像を記録することを特徴とする請求項１乃至３何れか１項に記載の撮像装置。
【請求項５】
前記第１の撮像手段と前記第２の撮像手段とは撮影方向が逆方向であり、
前記第２の姿勢は、前記第１の撮像手段の撮影方向周りに前記第１の姿勢から９０度回転させた姿勢であることを特徴とする請求項１乃至４何れか１項に記載の撮像装置。
【請求項６】
第１の姿勢は横姿勢であり、前記第２の姿勢は縦姿勢であることを特徴とする請求項１乃至５何れか１項に記載の撮像装置。
【請求項７】
第１の撮像手段と、前記第１の撮像手段と異なる方向を撮影する第２の撮像手段とを有する撮像装置が実行する制御方法であって、
前記撮像装置の姿勢を検知する検知ステップと、
第１の姿勢において撮影が行われた場合には、前記第１の撮像手段により得られた第１の画像と、前記第２の撮像手段により得られた第２の画像を合成して記録し、第２の姿勢において撮影が行われた場合には、前記第１の画像と前記第２の画像を合成せずに記録する記録ステップと
を含むことを特徴とする制御方法。
【請求項８】
第１の撮像手段と、前記第１の撮像手段と異なる方向を撮影する第２の撮像手段とを有する撮像装置のコンピュータを、
前記撮像装置の姿勢を検知する検知手段と、
第１の姿勢において撮影が行われた場合には、前記第１の撮像手段により得られた第１の画像と、前記第２の撮像手段により得られた第２の画像を合成して記録し、第２の姿勢において撮影が行われた場合には、前記第１の画像と前記第２の画像を合成せずに記録する記録手段と
して機能させるためのプログラム。
【発明の詳細な説明】
【技術分野】
【０００１】
本発明は、２つ以上の撮像手段を有する撮像装置に関する。
【背景技術】
【０００２】
従来、２つ以上の撮像手段を有する撮像装置が知られている。特許文献１には、２つの撮像手段から得られた第１の画像と第２の画像を重畳した画像を作成する技術が開示されている。
【先行技術文献】
【特許文献】
【０００３】
【特許文献１】特開２０１１−２１７１２１号公報
【発明の概要】
【発明が解決しようとする課題】
【０００４】
しかしながら、２つの撮像手段の撮影方向が異なることにより、構図調整がし難くなる。また、構図調整をし易くするために、撮像手段から得られた画像（正像）を左右反転させた鏡像として表示することが考えられるが、記録用の画像には正像を用いるのが望ましい。
【０００５】
本発明はこのような問題点に鑑みなされたもので、２つの撮像手段により得られた撮影画像を適切に記録することを目的とする。
【課題を解決するための手段】
【０００６】
そこで、本発明は、第１の撮像手段と、前記第１の撮像手段と異なる方向を撮影する第２の撮像手段とを有する撮像装置であって、前記撮像装置の姿勢を検知する検知手段と、第１の姿勢において撮影が行われた場合には、前記第１の撮像手段により得られた第１の画像と、前記第２の撮像手段により得られた第２の画像を合成して記録し、第２の姿勢において撮影が行われた場合には、前記第１の画像と前記第２の画像を合成せずに記録する記録手段とを有することを特徴とする。
【発明の効果】
【０００７】
本発明によれば、２つの撮像手段により得られた撮影画像を適切に記録することができる。
【図面の簡単な説明】
【０００８】
【図１】撮像装置を示す図である。
【図２】撮像装置の外観図である。
【図３】第１画像と第２画像の向きの説明図である。
【図４】第１画像と第２画像の向きの説明図である。
【図５】アイコンの表示例を示す図である。
【図６】アイコンの例を示す図である。
【図７】制御処理を示すフローチャートである。
【発明を実施するための形態】
【０００９】
以下、本発明の実施形態について図面に基づいて説明する。
図１は、撮像装置１００を示す図である。撮像装置１００は、第１撮像部１０１と、第２撮像部１０２と、メモリ１０３と、制御部１０４と、表示部１０５と、シャッターボタン１０６と、操作部１０７と、センサ１０８と、を有している。第１撮像部１０１及び第２撮像部１０２は、それぞれ、撮影レンズ、絞り機能を備えるシャッター、光学像を電気信号に変換するＣＣＤやＣＭＯＳセンサ等の撮像センサ、画像処理回路等を含んでいる。第１撮像部１０１及び第２撮像部１０２は、所望のタイミングで制御部１０４より動作指示を受け、撮像レンズ、シャッター、撮像センサ、画像処理回路を制御し、被写体像の画像データを生成する。第１撮像部１０１及び第２撮像部１０２からの画像データは、制御部１０４を介して、メモリ１０３に書き込まれる。
【００１０】
メモリ１０３は、第１撮像部１０１及び第２撮像部１０２によって得られた画像データや、表示部１０５に表示するための画像データを格納する。メモリ１０３は、所定枚数の静止画像や所定時間の動画像及び音声を格納するのに十分な記憶容量を備えている。また、メモリ１０３は画像表示用のメモリ（ビデオメモリ）を兼ねている。
【００１１】
制御部１０４は、例えばＣＰＵ等であり、撮像装置１００の全体を制御する。制御部１０４は、メモリ１０３に格納されている画像表示用のデータに、必要に応じ所定のデータを重畳し、表示部１０５に供給する。こうして、メモリ１０３に書き込まれた表示用の画像データは、液晶ディスプレイ等の表示器である表示部１０５により表示される。なお、後述する撮像装置１００の機能や処理は、制御部１０４がメモリ１０３に格納されているプログラムを読み出し、このプログラムを実行することにより実現されるものである。
【００１２】
シャッターボタン１０６及び操作部１０７は、制御部１０４に各種の動作指示を入力するための操作手段である。シャッターボタン１０６からの操作途中、いわゆる半押し（撮影準備指示）信号で、制御部１０４は、ＡＦ（オートフォーカス）処理、ＡＥ（自動露出）処理、ＡＷＢ（オートホワイトバランス）処理等の動作を開始する。シャッターボタン１０６からの操作完了、いわゆる全押し（撮影指示）信号で、制御部１０４は、静止画撮影の処理を開始する。静止画撮影の処理は、第１撮像部１０１及び第２撮像部１０２からの画像データ読み出しから、メモリ１０３又は不図示のＳＤカード等の記録媒体に画像データを書き込むまでの一連の撮影処理である。操作部１０７は、撮像装置１００の電源を入れるための電源スイッチなどを含む。センサ１０８は、撮像装置１００の姿勢を検知する。センサ１０８としては、例えば、ジャイロセンサが挙げられる。制御部１０４は、センサ１０８の検知結果に応じて、撮像装置１００の姿勢が横姿勢であるか縦姿勢であるかを判定することができる。
【００１３】
なお、本実施形態においては、制御部１０４は、第２撮像部１０２によって得られた画像を必要に応じて正像から鏡像に変換し、鏡像をメモリ１０３に格納する。ここで、正像とは、第２撮像部１０２によって得られた画像であり、鏡像は、正像の左右が反転した画像である。鏡像は適宜表示部１０５に表示される。
【００１４】
図２は、撮像装置１００の外観図である。撮像装置１００の第１撮像部１０１は、メインカメラであり、図２に示すように主被写体である人物（人物Ａ）を撮影する。第２撮像部１０２は、インカメラであり、図２に示すように、撮影者等の人物（人物Ｂ）を撮影する。なお、第１撮像部１０１と第２撮像部１０２は、それぞれ撮像装置１００の主面と裏面とに設けられており、異なる撮影方向を撮影する。本実施形態の撮像装置１００では、第１撮像部１０１と第２撮像部１０２は、撮影方向が逆方向になっている。
【００１５】
また、図２に示す表示部１０５には、重畳画像２００が表示されている。重畳画像２００は、第１撮像部１０１により得られた画像の一部の領域上に第２撮像部１０２により得られた画像が重畳された画像である。以下、第１撮像部１０１により得られた画像を第１画像と称することとする。また、第２撮像部１０２により得られた画像を第２画像と称することとする。このように、第２画像２０２は、ＰＩＰ（Ｐｉｃｔｕｒｅ  ｉｎ  Ｐｉｃｔｕｒｅ）で表示される。
【００１６】
次に、図３、図４を参照しつつ、表示部１０５に表示される重畳画像における第１画像と第２画像の向きについて説明する。図３は、横姿勢において撮影された撮影画像の重畳画像を示す図である。図４は、縦姿勢において撮影された撮影画像の重畳画像を示す図である。
【００１７】
図３（ａ）に示す重畳画像３００においては、第２撮像部１０２により得られた第２画像、すなわち正像の第２画像３０２が第１画像３０１に重畳されている。一方、図３（ｂ）に示す重畳画像３１０においては、第２撮像部１０２により得られた第２画像の鏡像が第２画像３１２として第１画像３１１に重畳されている。
【００１８】
また、図４（ａ）に示す重畳画像４００においては、第２撮像部１０２により得られた第２画像、すなわち正像の第２画像４０２が第１画像４０１に重畳されている。一方、図４（ｂ）に示す重畳画像４１０においては、第２撮像部１０２により得られた第２画像の鏡像が第２画像４１２として第１画像４１１に重畳されている。
【００１９】
図３（ａ）のように、第２画像３０２を正像表示とした場合、撮影者である人物Ｂにとって、表示部１０５に表示される正像の第２画像３０２の移動方向と自身の実際の移動方向とが左右逆の方向になってしまう。このため、構図調整が難しくなる。このため、図３（ｂ）のように、第２画像３１２を鏡像表示とすることが考えられる。しかし、鏡像表示とした場合も、実際に記録に残す画像データは正像にすることが望ましい。鏡像をそのまま記録すると、文字などが左右逆になった画像となってしまうためである。そこで、本実施形態に係る撮像装置１００においては、ユーザが操作部１０７を操作することにより、ライブビューの第２画像を正像表示にするか、鏡像表示にするかを任意に変更できるものとする。
【００２０】
また、ライブビュー画像を鏡像表示とした場合、特に縦姿勢で撮影した場合に、ユーザが意図しない画像が記録されてしまう可能性がある。図４（ａ）に示すように、縦姿勢において、第２画像を正像表示とした場合、第２画像４０２は第１画像４０１に対して上下が反転した状態になる。このように、第２画像が正像の場合は、第２画像の上下反転に比較的容易に気付くことができる。一方で、図４（ｂ）に示すように、第２画像４１２が鏡像表示の場合には、鏡像表示なのか正像表示なのかがわかり難い。そのため、実際に記録される第２画像が第１画像に対して上下反転した状態になることに気付かずに撮影を行い、後に記録された画像を確認した際に初めて第２画像と第１画像の上下が逆になっていることに気が付くといった問題が発生する可能性がある。
【００２１】
そこで、本実施形態に係る撮像装置１００においては、ライブビュー表示される第２画像と、実際に記録される第２画像が異なる場合は、図５に示すように、その旨をユーザに通知するためのアイコン５１０を表示する。図５に示す重畳画像５００は、図４（ｂ）の重畳画像４００と同様に、鏡像表示の第２画像５０２が第１画像５０１に重畳されたものである。このため、表示される第２画像５０２と記録される第２画像とでは、上下が逆になる。アイコン５１０は、このように、表示と記録とにおいて、上下が逆になることを示すアイコンである。
【００２２】
図６は、アイコンの例を示す図である。１番のアイコンは、ライブビュー表示及び記録において、第２画像が共に正像となる場合に表示されるアイコンである。なお、このように、ライブビュー表示及び記録において共に正像である場合には、アイコン表示を行わないこととしてもよい。２番のアイコンは、横姿勢での撮影に対し、ライブビュー表示が鏡像表示となる場合に表示されるアイコンである。ユーザは、２番のアイコンが表示されたことにより、ライブビュー表示された画像と記録される画像が異なることを知ることができる。３番のアイコンは、縦姿勢での撮影に対し、ライブビュー表示が鏡像表示となる場合に表示されるアイコンである。ユーザは、３番のアイコンが表示されることにより、ライブビュー表示された画像と記録される画像が異なることを知ることができる。
【００２３】
図７は、撮像装置１００による制御処理を示すフローチャートである。ユーザによって操作部１０７の電源スイッチが押下され、撮像装置１００に電源が投入されることにより、制御処理が開始する。Ｓ７００において、制御部１０４は、動作状態を撮影待機状態（ライブビュー表示状態）とするための初期化処理を実行する。初期化処理には、第１撮像部１０１及び第２撮像部１０２の起動処理、ライブビュー等を表示するための表示部１０５の起動処理等が含まれる。次に、Ｓ７０１において、制御部１０４は、ユーザによるシャッターボタン１０６に対する操作を監視し、シャッターボタン１０６が半押しされた場合（Ｓ７０１でＹｅｓ）、処理をＳ７０２へ進める。
【００２４】
Ｓ７０２において、制御部１０４は、ライブビュー表示の第２画像が鏡像か否かを判定する。制御部１０４は、鏡像表示の場合には（Ｓ７０２でＹｅｓ）、処理をＳ７０３へ進める。制御部１０４は、正像表示の場合には（Ｓ７０２でＮｏ）、処理をＳ７０４へ進める。なお、制御部１０４は、本制御処理とは独立した処理により、Ｓ７００の初期化処理以降においては、ライブビュー表示における第２画像を正像表示とするか鏡像表示とするかをユーザによる操作部１０７の操作に応じて適宜切り替えることができるものとする。
【００２５】
Ｓ７０３において、制御部１０４は、前述のアイコンを表示する。これにより、ユーザにライブビュー表示の画像と記録される画像が異なることを通知することができる。次に、Ｓ７０４において、制御部１０４は、シャッターボタン１０６に対する操作を監視し、シャッターボタン１０６が全押しされた場合（Ｓ７０４でＹｅｓ）、処理をＳ７０５へ進める。
【００２６】
Ｓ７０５において、制御部１０４は、センサ１０８の検知結果から撮像装置１００の姿勢を判定する。制御部１０４は、横姿勢の場合には（Ｓ７０５で横姿勢）、処理をＳ７０６へ進める。制御部１０４は、縦姿勢の場合には（Ｓ７０５で縦姿勢）、処理をＳ７０７へ進める。Ｓ７０６において、制御部１０４は、第１画像に第２画像を重畳した合成画像をＳＤカードやメモリ１０３等の記録媒体に記録する。なお、このとき記録される第２画像は、正像である。一方、Ｓ７０７においては、制御部１０４は、第１画像及び第２画像を合成せずに、それぞれ別ファイルとして記録媒体に記録する。なお、Ｓ７０７において記録される第２画像も正像である。
【００２７】
このように、本実施形態の撮像装置１００は、縦姿勢で撮影した場合には、ライブビュー表示から記録時の第２画像の状態がイメージし難いので、第１画像と第２画像の合成画像ではなく、第１画像と第２画像とを記録することとする。これにより、ユーザは、後に、所望の向きで第１画像と第２画像を合成することができる。このように、本実施形態の撮像装置１００は、２つの撮像手段により得られた撮影画像を適切に記録することができる。
【００２８】
なお、実施形態の変更例としては、ユーザへのライブビュー表示を鏡像表示とする場合のユーザへの通知方法は、アイコン表示に限定されるものではない。他の例としては、撮像装置１００は、警告文字列を表示部１０５に表示してもよく、また、撮像装置１００がスピーカ（不図示）を有する場合には、音声通知を行ってもよい。
【００２９】
また、上述の実施形態では、撮像装置１００の姿勢が横姿勢か縦姿勢かを検出して、検出した姿勢に応じて、第１画像と第２画像とを合成して記録するか、個別に記録するかを切り替えた。しかし、撮像装置の基本となる正姿勢が縦姿勢の場合は、縦姿勢の場合に第１画像と第２画像とを合成し、横姿勢の場合に第１画像と第２画像と個別に記録するようにしてもよい。つまり、縦姿勢か横姿勢かを検出するのではなく、撮像装置の基本となる第１の姿勢と、第１撮像部１０１（または第２撮像部１０２）の撮影方向周りに第１の姿勢から９０度回転した第２の姿勢かを検出する。そして、検出した姿勢に応じて、記録方法を切り替えてもよい。この場合、第１の姿勢を検出した場合に、第１画像と第２画像とを合成して記録し、第２の姿勢を検出した場合に、第１画像と第２画像とを個別に記録するようにするとよい。
【００３０】
以上、本発明の好ましい実施形態について詳述したが、本発明は係る特定の実施形態に限定されるものではなく、特許請求の範囲に記載された本発明の要旨の範囲内において、種々の変形・変更が可能である。
【００３１】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００３２】
１００  撮像装置
１０１  第１撮像部
１０２  第２撮像部
１０４  制御部
１０５  表示部
【図１】
2017158089.tif 000003
【図２】
2017158089.tif 000004
【図３】
2017158089.tif 000005
【図４】
2017158089.tif 000006
【図５】
2017158089.tif 000007
【図６】
2017158089.tif 000008
【図７】
2017158089.tif 000009